(57)【特許請求の範囲】
【請求項１】
漁船の船首に設けられ水平方向に旋回可能な旋回器具と、
前記旋回器具の一端に設けられた、フレームに装着されるモーターによって回転する駆動軸と、
前記駆動軸の軸上に延長されるように形成され、上記フレームに固定される中間板によって仕切られる複数のローラーと、
前記複数のローラー間の各中間板の下方の一側に、傾斜されて設けられる補助ローラーと、
前記複数のローラーの中で、駆動軸から見て最も前に位置するローラーと最も後に位置するローラーの側部に設けられ、一側が前記フレームに固定される２つの側板とを、具備することを特徴とする漁船用網引揚装置。
【請求項２】
前記旋回器具は、漁船の船首に固定される固定フランジと、前記固定フランジ上面に、水平方向に旋回可能に設けられる旋回フランジとから、構成されることを特徴とする請求項１に記載の漁船用網引揚装置。
【請求項３】
前記駆動軸を支持する補助フレームが前記ローラーの側板に設けられ、前記補助フレームから延長して設けられたフレーム上に、前記側板と平行になるように回転ローラーが実装されることを特徴とする請求項１に記載の漁船用網引揚装置。
【請求項４】
前記補助フレームは、その中心部で前記駆動軸を支持し、前記中心部から円周方向に延長される放射状の枠が前記側板に固定されることを特徴とする請求項３に記載の漁船用網引揚装置。
【請求項５】
前記それぞれのローラーの外周には、棒状のゴムパッドが設けられること特徴とする請求項１乃至４のいずれか１つに記載の漁船用網引揚装置。
【発明の詳細な説明】
【技術分野】
【０００１】
本発明は漁船用網引揚装置に係り、より詳しくは、漁船に設けられ、海に張られた網を容易に引き揚げることができる漁船用網引揚装置に関する。
【背景技術】
【０００２】
これまでの漁船用網引揚装置の例としては、本発明者によって出願された、漁船の船首付近に網引揚装置を設け、海に張られた網を引き揚げるようにした漁船用網巻取装置がある。（特許文献１参照）
前記先出願された技術は、一つの駆動軸に設けられ、同期して回転し、互いに仕切られて実装される第１及び第２ローラーと、前記第１ローラーと第２ローラーとの間に設けられる補助ローラーで構成される。
【０００３】
前記先出願の技術によれば、網を引き揚げる時には、網を前記第１及び第２ローラーと補助ローラーに掛けて、駆動軸を回転させて前記第１及び第２ローラーを回転させることにより、網を容易に引き揚げるようにしている。しかしながら、網が深い海に張られている場合、あるいは網が大きくて魚が大量に掛かっている場合には、網の重さに比べて、網と前記ローラーとの接触面積が小さいため、容易に引き揚げることができないとの問題点があった。
【０００４】
さらに、前記先出願の技術では、網を海から引き揚げる時、網を固定しているロープのねじり方向に網が回転する現象が生ずるため、網をスムーズに引き揚げることが難しかった。
【０００５】
【特許文献１】大韓民国実用新案登録出願第１９９８−２２７５５号明細書
【発明の開示】
【発明が解決しようとする課題】
【０００６】
従って、本発明の目的は、上記のような従来技術の問題点を解決することであり、網を容易に引き揚げることのできる漁船用網引揚装置を提供することである。そのためには、網の引揚装置に第３ローラー及び補助ローラーを追加する一方、網を引き揚げる時に、網が回転ローラーに密着するようにして引揚げ、網とローラーとの接触面積を増やすことである。この技術を使用するなら、網を引き揚げる際、網をねじれることなく容易に引き揚げることができる。
【課題を解決するための手段】
【０００７】
このため、本発明の漁船用網引揚装置は、漁船の船首に設けられ水平方向に旋回可能な旋回器具と、旋回器具の一端に設けられたフレームに装着されるモーターによって回転する駆動軸と、駆動軸の軸上に延長されるように形成され、フレームに固定される中間板によって仕切られる複数のローラーと、複数のローラー間の各中間板の下方の一側に傾斜されて設けられる補助ローラーと、複数のローラーの中で駆動軸から見て最も前に位置するローラーと、最も後に位置するローラーの側部に設けられ一側がフレームに固定される側板とを具備することを特徴とする。
【０００８】
なお、漁船用網引揚装置の旋回器具は、漁船の先端に固定される固定フランジと、固定フランジの上面に旋回可能に設けられる旋回フランジとから構成されることが好ましい。
【０００９】
駆動軸を支持する補助フレームがローラーの側板に設けられ、この補助フレームから延長して設けられたフレーム上に、側板と平行になるように回転ローラーが実装されることが好ましい。
【００１０】
補助フレームの中心部で駆動軸を支持し、前記中心部から円周方向に延長される放射状の枠が、側板に固定されることが好ましい。
【００１１】
棒状のゴムパッドが、それぞれのローラーの外周に設けられることが好ましい。
【発明の効果】
【００１２】
本発明の漁船用網引用揚装置によれば、網を引き揚げる時、網とローラーとの接触面積を増加させたので網を容易に引き揚げることができる。また、網引揚装置を使用する時だけ、網引揚装置を使用位置に旋回させるので、事故発生の要因を減らすことができる。また、回転ローラーで網を密着させて引き揚げることにより、網をねじらずに引き揚げることができる。ローラーの外周にゴムパッドを設けることにより、網との摩擦力を増大させたので、網を一層容易に引き揚げることができる。
【発明を実施するための最良の形態】
【００１３】
以下、本発明の好ましい実施例を、図面を参照して説明する。
【実施例１】
【００１４】
本発明の網引揚装置は、図１及び図２に示したように、漁船１の船首付近に、水平方向の回転が可能に旋回器具２３を設けられる。この旋回器具２３は、漁船１の船首付近に固定される固定フランジ３と、固定フランジ３の上面に旋回可能に設けられる旋回フランジ２で構成される。ここで旋回フランジ２は、直角に折り曲げられることが好ましい。
【００１５】
図１に示すように、旋回フランジ２は、レバー７で操作されるアクチュエータ（図示せず）によって、旋回角度を多様に調整できるので、引揚作業を容易に実行することができる。
また、旋回フランジ２の一方の端部、すなわち、固定フランジ３と対向する一方の端部にはフレーム４が固定され、フレーム４には駆動軸６が延長されるように形成された油圧モーター５が設けられる。
【００１６】
駆動軸６には、第１ローラー１０、第２ローラー１１及び第３ローラー１３が順次配置されるが、第１ローラー１０ないし第３ローラー１３は、ローラーの下方に延長形成されたフレーム４に一側が固定される２つの中間板２１によって仕切られる。一方、第１ローラー１０と第２ローラー１１の間の、中間板２１の下部の一側には、第２補助ローラー１２が傾斜して設けられ、第２ローラー１１と第３ローラー１３の間の、中間板２１の下部の一側には、第１補助ローラー１４が傾斜されて設けられる。
【００１７】
また、第１ローラー１０の内側と第３ローラー１３の外側の側部には、それぞれローラーの下方に延長形成されたフレーム４に一側が固定される側板２２が設けられ、２枚の側板２２と２枚の中間板２１は、突出部位を防いで網に及ぼす風の影響を最少化させている。
【００１８】
一方、それぞれのローラーの外周には、例えば、四角形棒状のゴムパッド８を一定の間隔で着脱可能に装着し、ゴムパッド８が擦り減った時は交換を行う。
第１ローラー１０と第２ローラー１１及び第３ローラー１３は、駆動軸６に結合され、駆動軸６とともに回転される。
側板２２と中間板２１は、ローラー１０、１１、１３を仕切っており、ローラー１０、１１、１３の下部に延長形成されるフレーム４に固定されるので、側板２２と中間板２１は駆動軸６の回転によって回転しない。
【００１９】
また、図３に示すように、第３ローラー１３の外側側面に設けられる側板２２には、駆動軸６の一端を支持する補助フレーム１６を設ける。
補助フレーム１６は、中央部が外側に突出されるように形成された放射状の枠を備えるが、中央部は駆動軸６の一端を支持し、内側に傾斜して形成された放射状の枠の各端部は、側板２２に固定される。
また、補助フレーム１６の一側には、第３ローラー１３の下方に、側板２２の側面に平行にフレームを延長し、この延設されたフレーム上に、回転ローラー１５を側板２２と平行に取り付ける。
【００２０】
図４を参照して、次に、本発明の網引揚装置を用いて網を引き揚げる場合を説明する。本発明の網引揚装置を用いて網２０を引き揚げる時には、図４に示すように、網２０を、第３ローラー１３を経て第１補助ローラー１４に掛かるように巻いた後に、さらに第２ローラー１１を経て第２補助ローラー１２に掛かるように巻く。また、第２補助ローラー１２に巻かれた網を第１ローラー１０に掛かるように巻く。
【００２１】
この時、第１補助ローラー１４は、第３ローラー１３を通り過ぎた網２０を第２ローラー１１側に渡す役割をする。第２補助ローラー１２は第２ローラー１１を通り過ぎた網２０を第１ローラー１０側に渡す役割をする。
そして、網２０の先端をぴんと張って平たくした状態で油圧モーター５を作動させると、網２０は第１ローラー１０と第２ローラー１１及び第３ローラー１３の回転によって、小さな力でも容易に引き揚げることができる。
【００２２】
すなわち、網２０は第３ローラー１３と第２ローラー１１の外周に設けられたゴムパッド８の縁を、約１８０°近く接触しながら引き揚げられる。
さらに、網２０は、第２ローラー１１と第１ローラー１０の外周に設けられたゴムパッド８の縁を、約１８０°近く接触しながら引き揚げられるので、網２０とそれぞれのローラー１０、１１、１３との接触面積が大きくなり、合せて、それぞれのローラー１０、１１、１３に設けられたゴムパッド８の摩擦力を増大させるから、大きな網でも容易に引き揚げることができる。
【００２３】
一方、網２０を引き揚げる時、網２０は第３ローラー１３の側板２２に触れて引き揚げられるが、この時、網２０を固定している綱のねじり方向に、網２０のねじれ現象が度々発生する。従って、本発明の引揚装置では第３ローラー１３の下方に、側板２２に平行に回転ローラー１５を設けて、網２０が回転ローラー１５に乗って引き揚げられるようにして、網２０のねじれ現象を防いでいる。
【００２４】
そして、網２０を引き揚げる時に、海風によって、網２０が横に傾くようになる結果、第３ローラー１３から第１補助ローラー１４を経由しないで、第２ローラー１１に直接行くか、第２ローラー１１から第２補助ローラー１２を経由しないで、第１ローラー１０へ直接行くことを防ぐために、側板２２と中間板２２とで風が通じないようにして、風の影響を最少化させている。
【００２５】
一方、第３ローラー１３の外側に設けられる側板２２には、駆動軸を支持する中央部が外側に突出され、その端部が側板２２に固定される放射状の枠を有する補助フレーム１６を設けている。補助フレーム１６は、駆動軸を支持し、網引揚装置の構造強度を高めるのはもちろん、網２０の引揚げ作業時、網２０が引揚装置に引っかかってジャムが発生することを防止している。
【００２６】
このようにして、網２０の引揚げ作業が終了すれば、再びレバー７でアクチュエータを操作して、旋回フランジ２を旋回させ、網引揚装置を漁船１の内側に固定させることにより、網の引揚装置が漁船１の外部へ突出しないようにして、事故発生の要因を減らしている。
【産業上の利用可能性】
【００２７】
上記では、本発明による漁船用網引揚装置のローラーを第１ローラーと第２ローラー及び第３ローラーの３段で構成した実施例について説明したが、ローラーを２段で構成すること、第３ローラーの外側にローラー及び補助ローラーを一つ増やして４段にて構成することも可能である。このような修正は、本発明の技術範囲に属することは明らかである。
【図面の簡単な説明】
【００２８】
【図１】本発明による旋回器具を示す図面である。（実施例１）
【図２】本発明による網引揚装置の正面図である。（実施例１）
【図３】本発明による網引揚装置の側面図である。（実施例１）
【図４】本発明による網引揚装置を用いて網を引き揚げる状態を示す説明図である。
【図１】
0003680099.tif 000002
【図２】
0003680099.tif 000003
【図３】
0003680099.tif 000004
【図４】
0003680099.tif 000005